(57)【要約】【課題】薄型表示装置の重心の影響によるスタンド台の前方への延長を抑え、また薄型表示装置のスタンドからの出っ張りを抑えた、設置面積の小さい薄型表示装置用スタンドを得る事を目的とする。【解決手段】本発明に係る薄型表示装置用スタンド１１は、薄型表示装置１０をその上に載置する載置面を有する台部１、台部１における載置面の下部に垂直に設置され台部１を支えるポール２、ポール２の転倒防止機構であるスタンド台３を備えて構成される。【選択図】  図１
2009031624.tif 000002
【特許請求の範囲】
【請求項１】
薄型表示装置をその上に載置する載置面を有する台部と、
前記台部における前記載置面の下部に垂直に設置され前記台部を支える少なくとも一つの支柱と、
前記支柱の転倒防止機構と
を備える薄型表示装置用スタンド。
【請求項２】
前記転倒防止機構は、前記支柱の接地部に設けられ、前記支柱の断面積よりも広い接地面を有した部材を備える請求項１に記載の薄型表示装置用スタンド。
【請求項３】
前記台部に設けられ、前記薄型表示装置を固定する略上方向への突起部をさらに備える請求項１または請求項２に記載の薄型表示装置用スタンド。
【発明の詳細な説明】
【技術分野】
【０００１】
本発明は、薄型表示装置用スタンドに関する。
【背景技術】
【０００２】
フラットパネルディスプレイを用いた液晶テレビなどの薄型表示装置の設置について、その特徴を生かすには壁に直接装着されるのが良い。しかし、一般の家庭で壁に装着するには、壁面の補強など業者による工事が伴うといった困難がある。なお、市販の壁掛けユニットは、汎用性を持たせ各機種に対応できるように、ＶＥＳＡ穴が形成された取付金具が使用されている。
【０００３】
上記の問題点を回避するものとして、特許文献１に薄型表示装置用の壁面装着ユニットが示されている。これは、壁面装着ユニットを使用して薄型表示装置を壁掛けにする方法であるが、やはり壁面装着ユニットを壁に取り付けるという作業が必要であり、また一度取り付けると移動が困難である。
【０００４】
また、その他の設置方法として、薄型表示装置背面のＶＥＳＡ穴を用いて、壁ではなく支柱を有した薄型表示装置用スタンドに固定する方法がある。
【０００５】
【特許文献１】特開２００６−６０７５４号公報
【発明の開示】
【発明が解決しようとする課題】
【０００６】
しかしながら、上記のような薄型表示装置背面のＶＥＳＡ穴を用いてスタンドに固定する場合、スタンドの支柱に対して薄型表示装置の重心が前方向にあるため、安定した状態で支えるには転倒防止機構であるスタンド台の前方向の長さが長くなるという問題点があった。またスタンドは薄型表示装置の背面に取り付けられるため、スタンドに対して薄型表示装置が前に出っ張ってしまい、薄型表示装置の利点が十分に発揮できないといった問題点があった。
【０００７】
この発明は上記のような問題点を解消するためになされたもので、薄型表示装置の重心の影響によるスタンド台の前方への延長を抑え、かつ薄型表示装置のスタンドからの出っ張りを抑えた薄型表示装置用スタンドを得る事を目的とする。
【課題を解決するための手段】
【０００８】
本発明に係る薄型表示装置用スタンドは、薄型表示装置をその上に載置する載置面を有する台部、台部における載置面の下部に垂直に設置され台部を支える少なくとも一つの支柱、支柱の転倒防止機構を備えて構成される。
【発明の効果】
【０００９】
この発明は、薄型表示装置本体の重量を直接受ける載置面を有する台部が設けられ、また支柱が載置面の下部に垂直に設置されることにより、支柱に対して薄型表示装置の重量が下方向のみにかかるので、薄型表示装置の重さを支えて安定させるためのスタンド台の前方向の長さが短くて済み、かつスタンドに対する薄型表示装置の前への出っ張りを少なくすることが可能である。従って、例えば壁際に置いたときの薄型表示装置の壁からの出っ張りを少なくすることができ、薄型表示装置の壁掛け工事が不要にもかかわらず、薄型表示装置を壁掛けに近い状態で設置でき、設置面積が小さく、設置された部屋のスペースを広く使うことが可能である。また、壁に固定するタイプではないので、部屋内での移動が容易に可能である。
【発明を実施するための最良の形態】
【００１０】
以下、この発明をその実施の形態を示す図面に基づいて具体的に説明する。
【００１１】
（構成）
図１は、本発明に係る薄型表示装置用スタンド１１に薄型表示装置１０を取り付けた状態の斜視図である。
【００１２】
薄型表示装置用スタンド１１は、薄型表示装置１０をその上に載置するための載置面を有する台部１を有し、載置面の下部には台部１を支える１本のポール（支柱）２が垂直に形成される。また、ポール２の接地部には、支柱２の断面積よりも広い接地面を有した部材で形成される、スタンド台（転倒防止機構）３が形成される。
【００１３】
図２は、薄型表示装置１０が設置されていない状態における台部１周辺部の斜視図である。
【００１４】
上述したように台部１は載置面７を有し、また薄型表示装置１０を固定するための上方向への突起部４が形成される。突起部４にはねじ穴６が４箇所形成されており、薄型表示装置１０にもねじ穴が同様に形成され、薄型表示装置１０と突起部４がねじ５で固定されることにより、載置面７上に載置された薄型表示装置１０は薄型表示装置用スタンド１１に固定される。
【００１５】
図３は、ねじ５が突起部４に取り付けられた状態の台部１周辺部の側面図（薄型表示装置１０は図示せず）を示す。このように、薄型表示装置１０の他に、薄型表示装置１０の裏面を保護するためのバックカバー８が、薄型表示装置１０と共に設置されてもよい。
【００１６】
図５は、バックカバー８及び薄型表示装置１０が薄型表示装置用スタンド１１に取り付けられた状態の、全体の側面図を示す。突起部４が薄型表示装置１０の下部に設けられた取り付け穴に挿入された状態で薄型表示装置１０が台部１の載置面７上に載置され、さらにバックカバー８が薄型表示装置１０の裏面に取り付けられた後、バックカバー８、突起部４、薄型表示装置１０がねじ止めされる。薄型表示装置１０が設置された状態においては、このように薄型表示装置１０の直下にポール２が配置される構成となる。
【００１７】
なお、図４は突起部の違うタイプを示した台部１周辺部の斜視図である。このように、突起部９は角を有し、横方向のみでなく前方向にも延びた部材が使用されても良い。
【００１８】
（動作）
次に、薄型表示装置１０が薄型表示装置用スタンド１１に設置された状態における重量のかかり具合を、図５を用いて説明する。薄型表示装置１０は台部１の載置面７に載せて設置され、またポール２は載置面７の直下部に垂直に設置されるため、薄型表示装置１０の重量はポール２に対して、下方向に垂直にかかる状態となる。
【００１９】
（効果）
ポール２に対して薄型表示装置１０の重量が下方向のみにかかるので、薄型表示装置１０の重さを支えて安定させるためのスタンド台３の前方向の長さが短くて済み、かつスタンドに対する薄型表示装置の前への出っ張りを少なくすることが可能である。従って、薄型表示装置１０の設置面積を小さくすることが可能である。また、薄型表示装置１０を壁に固定するタイプではないので、部屋内での移動が容易に可能である。
【図面の簡単な説明】
【００２０】
【図１】本発明に係る薄型表示装置および薄型表示装置用スタンドを示す斜視図である。
【図２】本発明に係る薄型表示装置用スタンドの台部を示す斜視図である。
【図３】本発明に係る薄型表示装置用スタンドの台部を示す側面図である。
【図４】本発明に係る薄型表示装置用スタンドの台部を示す斜視図である。
【図５】本発明に係る薄型表示装置および薄型表示装置用スタンドを示す側面図である。
【符号の説明】
【００２１】
１  台部、２  ポール、３  スタンド台、４，９  突起部、５  ねじ、６  ねじ穴、７  載置面、８  バックカバー、１０  薄型表示装置、１１  薄型表示装置用スタンド。
【図１】
2009031624.tif 000003
【図２】
2009031624.tif 000004
【図３】
2009031624.tif 000005
【図４】
2009031624.tif 000006
【図５】
2009031624.tif 000007